(57)【特許請求の範囲】
【請求項１】
互いに対向するシート状部材の周辺部を封止して形成される袋状の本体であって、内側に内容物を収容するための収容領域を有するとともに、その一辺に切口辺を有する本体と、
前記本体に設けられるＲＦＩＣ素子およびアンテナパターンを有するＲＦＩＤタグと、を備え、
前記本体は、前記収容領域を切断する領域であって、前記切口辺に交差する方向に延びる仮想ラインである第１領域ラインと第２領域ラインとで挟まれた切断領域を有し、
前記ＲＦＩＤタグの前記アンテナパターンは、前記ＲＦＩＣ素子から前記第２領域ラインを経由して前記第１領域ラインへと至る第１アンテナエレメントと、前記ＲＦＩＣ素子から前記第１領域ラインを経由して前記第２領域ラインへと至る第２アンテナエレメントとを有し、ダイポール型アンテナパターンを構成し、
前記第１アンテナエレメントは、前記第１領域ラインよりも前記切断領域の外側において前記切口辺から遠ざかる方向に延びる延伸部を有し、
前記第２アンテナエレメントは、前記第２領域ラインよりも前記切断領域の外側において前記切口辺から遠ざかる方向に延びる延伸部を有し、
前記第１アンテナエレメントの前記延伸部は前記第２アンテナエレメントの折り返し点よりも前記第１領域ラインから離れる方向に配置されている、および／又は、前記第２アンテナエレメントの前記延伸部は前記第１アンテナエレメントの折り返し点よりも前記第２領域ラインから離れる方向に配置されている、
ＲＦＩＤタグ付き包装袋。
【請求項２】
前記ＲＦＩＣ素子は、キャリア周波数に相当する共振周波数を有する共振回路とともにパッケージ化されている、請求項１に記載のＲＦＩＤタグ付き包装袋。
【請求項３】
前記第１アンテナエレメントは、前記ＲＦＩＣ素子に接続されるとともに前記切口辺が延びる方向に沿って前記第２領域ラインを跨ぐように延びる第１延伸部と、前記第１延伸部に接続されるとともに前記切口辺から遠ざかる方向へ延びる第２延伸部と、前記第２延伸部に接続されるとともに前記切口辺が延びる方向に沿って前記第２領域ラインおよび前記第１領域ラインを跨ぐように延びる第３延伸部とを有し、
前記第２アンテナエレメントは、前記ＲＦＩＣ素子に接続されるとともに前記切口辺が延びる方向に沿って前記第１領域ラインを跨ぐように延びる第１延伸部と、前記第１延伸部に接続されるとともに前記切口辺に近付く方向へ延びる第２延伸部と、前記第２延伸部に接続されるとともに前記切口辺が延びる方向に沿って前記第１領域ラインおよび前記第２領域ラインを跨ぐように延びる第３延伸部とを有する、請求項１又は２に記載のＲＦＩＤタグ付き包装袋。
【請求項４】
前記ＲＦＩＤタグは、前記本体の表面に直接設けられている、請求項１から３のいずれか１つに記載のＲＦＩＤタグ付き包装袋。
【請求項５】
複数のＲＦＩＤタグ付き包装袋と、
前記ＲＦＩＤタグ付き包装袋のＲＦＩＤタグとの間で電磁界を介して通信を行うリーダライタと、を備える開封管理システムであって、
前記それぞれのＲＦＩＤタグ付き包装袋は、
互いに対向するシート状部材の周辺部を封止して形成される袋状の本体であって、その一辺に切口辺を有するとともに、内容物を収容するための収容領域を内側に有する本体と、
前記本体に設けられ、ＲＦＩＣ素子およびアンテナパターンを有するＲＦＩＤタグと、を備え、
前記本体は、前記収容領域を切断する領域であって、前記切口辺に交差する方向に延びる仮想ラインである第１領域ラインと第２領域ラインとで挟まれた切断領域を有し、
前記ＲＦＩＤタグの前記アンテナパターンは、前記ＲＦＩＣ素子から前記第２領域ラインを経由して前記第１領域ラインへと至る第１アンテナエレメントと、前記ＲＦＩＣ素子から前記第１領域ラインを経由して前記第２領域ラインへと至る第２アンテナエレメントとを有し、ダイポール型アンテナパターンを構成し、
前記第１アンテナエレメントは、前記第１領域ラインよりも前記切断領域の外側において前記切口辺から遠ざかる方向に延びる延伸部を有し、
前記第２アンテナエレメントは、前記第２領域ラインよりも前記切断領域の外側において前記切口辺から遠ざかる方向に延びる延伸部を有し、
前記第１アンテナエレメントの前記延伸部は前記第２アンテナエレメントの折り返し点よりも前記第１領域ラインから離れる方向に配置されている、および／又は、前記第２アンテナエレメントの前記延伸部は前記第１アンテナエレメントの折り返し点よりも前記第２領域ラインから離れる方向に配置されており、
前記複数の前記ＲＦＩＤタグ付き包装袋のそれぞれの前記ＲＦＩＣ素子と、前記リーダライタを通信させる通信ステップと、
前記通信ステップの通信結果に基づいて、前記複数の前記ＲＦＩＤタグ付き包装袋の中に、前記ＲＦＩＤタグの前記アンテナパターンが前記切断領域で切断されて開封済みのＲＦＩＤタグ付き包装袋が含まれていたか否かを判定する判定ステップと、
前記判定ステップにおいて、前記複数の前記ＲＦＩＤタグ付き包装袋の中に開封済みのＲＦＩＤタグ付き包装袋が含まれていたと判定した場合に、ユーザに通知する通知ステップとを実行することにより、
前記複数のＲＦＩＤタグ付き包装袋の開封を管理する、開封管理システム。
【請求項６】
容器の開封箇所に貼付されるシート状の本体であって、対向する２辺が切口辺として構成される本体と、
前記本体に設けられるＲＦＩＣ素子およびアンテナパターンを有するＲＦＩＤタグと、を備え、
前記本体は、前記切口辺に交差する方向に延びる仮想ラインである第１領域ラインと第２領域ラインとで挟まれた切断領域を有し、
前記ＲＦＩＤタグの前記アンテナパターンは、前記ＲＦＩＣ素子から前記第２領域ラインを経由して前記第１領域ラインへと至る第１アンテナエレメントと、前記ＲＦＩＣ素子から前記第１領域ラインを経由して前記第２領域ラインへと至る第２アンテナエレメントとを有し、ダイポール型アンテナパターンを構成し、
前記第１アンテナエレメントは、前記第１領域ラインよりも前記切断領域の外側において前記切口辺のうち一方側の切口辺から遠ざかる方向に延びる延伸部を有し、
前記第２アンテナエレメントは、前記第２領域ラインよりも前記切断領域の外側において前記一方側の切口辺から遠ざかる方向に延びる延伸部を有し、
前記第１アンテナエレメントの前記延伸部は前記第２アンテナエレメントの折り返し点よりも前記第１領域ラインから離れる方向に配置されている、および／又は、前記第２アンテナエレメントの前記延伸部は前記第１アンテナエレメントの折り返し点よりも前記第２領域ラインから離れる方向に配置されている、
ＲＦＩＤタグ付き貼付シート。
【請求項７】
前記ＲＦＩＣ素子は、キャリア周波数に相当する共振周波数を有する共振回路とともにパッケージ化されている、請求項６に記載のＲＦＩＤタグ付き貼付シート。
【請求項８】
前記第１アンテナエレメントは、前記ＲＦＩＣ素子に接続されるとともに前記一方側の切口辺が延びる方向に沿って前記第２領域ラインを跨ぐように延びる第１延伸部と、前記第１延伸部に接続されるとともに前記一方側の切口辺から遠ざかる方向へ延びる第２延伸部と、前記第２延伸部に接続されるとともに前記一方側の切口辺が延びる方向に沿って前記第２領域ラインおよび前記第１領域ラインを跨ぐように延びる第３延伸部とを有し、
前記第２アンテナエレメントは、前記ＲＦＩＣ素子に接続されるとともに前記一方側の切口辺が延びる方向に沿って前記第１領域ラインを跨ぐように延びる第１延伸部と、前記第１延伸部に接続されるとともに前記一方側の切口辺に近付く方向へ延びる第２延伸部と、前記第２延伸部に接続されるとともに前記一方側の切口辺が延びる方向に沿って前記第１領域ラインおよび前記第２領域ラインを跨ぐように延びる第３延伸部とを有する、請求項６又は７に記載のＲＦＩＤタグ付き貼付シート。
【請求項９】
前記ＲＦＩＤタグは、前記本体の表面に直接設けられている、請求項６から８のいずれか１つに記載のＲＦＩＤタグ付き貼付シート。
【請求項１０】
複数のＲＦＩＤタグ付き貼付シートと、
前記ＲＦＩＤタグ付き貼付シートのＲＦＩＤタグとの間で電磁界を介して通信を行うリーダライタと、を備える開封管理システムであって、
前記それぞれのＲＦＩＤタグ付き貼付シートは、
容器の開封箇所に貼付されるシート状の本体であって、対向する２辺が切口辺として構成される本体と、
前記本体に設けられ、ＲＦＩＣ素子およびアンテナパターンを有するＲＦＩＤタグと、を備え、
前記本体は、前記切口辺に交差する方向に延びる仮想ラインである第１領域ラインと第２領域ラインとで挟まれた切断領域を有し、
前記ＲＦＩＤタグの前記アンテナパターンは、前記ＲＦＩＣ素子から前記第２領域ラインを経由して前記第１領域ラインへと至る第１アンテナエレメントと、前記ＲＦＩＣ素子から前記第１領域ラインを経由して前記第２領域ラインへと至る第２アンテナエレメントとを有し、ダイポール型アンテナパターンを構成し、
前記第１アンテナエレメントは、前記第１領域ラインよりも前記切断領域の外側において前記切口辺のうち一方側の切口辺から遠ざかる方向に延びる延伸部を有し、
前記第２アンテナエレメントは、前記第２領域ラインよりも前記切断領域の外側において前記一方側の切口辺から遠ざかる方向に延びる延伸部を有し、
前記第１アンテナエレメントの前記延伸部は前記第２アンテナエレメントの折り返し点よりも前記第１領域ラインから離れる方向に配置されている、および／又は、前記第２アンテナエレメントの前記延伸部は前記第１アンテナエレメントの折り返し点よりも前記第２領域ラインから離れる方向に配置されており、
前記複数の前記ＲＦＩＤタグ付き貼付シートのそれぞれの前記ＲＦＩＣ素子と、前記リーダライタを通信させる通信ステップと、
前記通信ステップの通信結果に基づいて、前記複数の前記ＲＦＩＤタグ付き貼付シートの中に、前記ＲＦＩＤタグの前記アンテナパターンが前記切断領域で切断されて開封済みのＲＦＩＤタグ付き貼付シートが含まれていたか否かを判定する判定ステップと、
前記判定ステップにおいて、前記複数の前記ＲＦＩＤタグ付き貼付シートの中に開封済みのＲＦＩＤタグ付き貼付シートが含まれていたと判定した場合に、ユーザに通知する通知ステップとを実行することにより、
前記容器の開封を管理する、開封管理システム。
【発明の詳細な説明】
【技術分野】
【０００１】
本発明は、ＲＦＩＤタグ（Ｒａｄｉｏ Ｆｒｅｑｕｅｎｃｙ Ｉｄｅｎｔｉｆｉｃａｔｉｏｎ）付き包装袋および包装袋の開封管理システム、並びに、ＲＦＩＤタグ付き貼付シートおよび貼付シートを貼付した容器の開封管理システムに関する。
【背景技術】
【０００２】
近年、物品の情報管理システムとして、物品に付されたＲＦＩＤタグと、リーダライタとの間で電磁界を利用した非接触方式で通信し、所定の情報を伝達するＲＦＩＤシステムが利用されている。このＲＦＩＤタグは、所定の情報を記憶してＲＦ信号を処理するＲＦＩＣ素子と、送受信を行うアンテナ素子とを備える。このようなＲＦＩＤタグとして、種々の構成が開示されている（例えば、特許文献１参照）。【０００３】
特許文献１におけるＲＦＩＤタグは、薬を収容している薬包の開封確認を行うために設けられている。具体的な構成としては、薬包本体の幅方向に延びる所定の切断ラインを跨ぐようにＲＦＩＤタグ用のアンテナパターンが形成されている。当該切断線に沿って切断するとアンテナパターンが断線し、リーダライタによってＲＦＩＤタグを読取ることができなくなる。
【先行技術文献】
【特許文献】
【０００４】
【特許文献１】国際公開第２００５／０２６０１４号公報
【発明の概要】
【発明が解決しようとする課題】
【０００５】
しかしながら、特許文献１のような構成では、薬包を切断するために所定の切断ラインに沿って切断する必要がある。よって、切断箇所によってはアンテナパターンが切断されずに、薬包の開封確認をできない場合がある。このように、薬包などの包装袋の開封確認を行う際に、その開封確認を精度良く実施することに関して、未だ改善の余地があるといえる。【０００６】
同様に、ダンボールなどの容器の開封箇所に貼付シートを貼り、当該貼付シートを利用して開封確認を行う際に、その開封確認を精度良く実施できる貼付シートなどの開発を行うことが望ましい。【０００７】
従って、本発明の目的は、上記問題を解決することにあって、開封確認を精度良く実施することができる包装袋、貼付シートおよび開封管理システムを提供することにある。
【課題を解決するための手段】
【０００８】
上記目的を達成するために、本発明のＲＦＩＤタグ付き包装袋は、互いに対向するシート状部材の周辺部を封止して形成される袋状の本体であって、内側に内容物を収容するための収容領域を有するとともに、その一辺に切口辺を有する本体と、前記本体に設けられるＲＦＩＣ素子およびアンテナパターンを有するＲＦＩＤタグと、を備え、前記本体は、前記収容領域を切断する領域であって、前記切口辺に交差する方向に延びる仮想ラインである第１領域ラインと第２領域ラインとで挟まれた切断領域を有し、前記ＲＦＩＤタグの前記アンテナパターンは、前記ＲＦＩＣ素子から前記第２領域ラインを経由して前記第１領域ラインへと至る第１アンテナエレメントと、前記ＲＦＩＣ素子から前記第１領域ラインを経由して前記第２領域ラインへと至る第２アンテナエレメントとを有し、ダイポール型アンテナパターンを構成する。【０００９】
また、本発明の開封管理システムは、複数のＲＦＩＤタグ付き包装袋と、前記ＲＦＩＤタグ付き包装袋のＲＦＩＤタグとの間で電磁界を介して通信を行うリーダライタと、を備える開封管理システムであって、前記それぞれのＲＦＩＤタグ付き包装袋は、互いに対向するシート状部材の周辺部を封止して形成される袋状の本体であって、その一辺に切口辺を有するとともに、内容物を収容するための収容領域を内側に有する本体と、前記本体に設けられ、ＲＦＩＣ素子およびアンテナパターンを有するＲＦＩＤタグと、を備え、前記本体は、前記収容領域を切断する領域であって、前記切口辺に交差する方向に延びる仮想ラインである第１領域ラインと第２領域ラインとで挟まれた切断領域を有し、前記ＲＦＩＤタグの前記アンテナパターンは、前記ＲＦＩＣ素子から前記第２領域ラインを経由して前記第１領域ラインへと至る第１アンテナエレメントと、前記ＲＦＩＣ素子から前記第１領域ラインを経由して前記第２領域ラインへと至る第２アンテナエレメントとを有し、ダイポール型アンテナパターンを構成し、前記複数の前記ＲＦＩＤタグ付き包装袋のそれぞれの前記ＲＦＩＣ素子と、前記リーダライタを通信させる通信ステップと、前記通信ステップの通信結果に基づいて、前記複数の前記ＲＦＩＤタグ付き包装袋の中に、前記ＲＦＩＤタグの前記アンテナパターンが前記切断領域で切断されて開封済みのＲＦＩＤタグ付き包装袋が含まれていたか否かを判定する判定ステップと、前記判定ステップにおいて、前記複数の前記ＲＦＩＤタグ付き包装袋の中に開封済みのＲＦＩＤタグ付き包装袋が含まれていたと判定した場合に、ユーザに通知する通知ステップとを実行することにより、前記複数のＲＦＩＤタグ付き包装袋の開封を管理する。【００１０】
また、本発明のＲＦＩＤタグ付き貼付シートは、容器の開封箇所に貼付されるシート状の本体であって、対向する２辺が切口辺として構成される本体と、前記本体に設けられるＲＦＩＣ素子およびアンテナパターンを有するＲＦＩＤタグと、を備え、前記本体は、前記切口辺に交差する方向に延びる仮想ラインである第１領域ラインと第２領域ラインとで挟まれた切断領域を有し、前記ＲＦＩＤタグの前記アンテナパターンは、前記ＲＦＩＣ素子から前記第２領域ラインを経由して前記第１領域ラインへと至る第１アンテナエレメントと、前記ＲＦＩＣ素子から前記第１領域ラインを経由して前記第２領域ラインへと至る第２アンテナエレメントとを有し、ダイポール型アンテナパターンを構成する。【００１１】
また、本発明の開封管理システムは、複数のＲＦＩＤタグ付き貼付シートと、前記ＲＦＩＤタグ付き貼付シートのＲＦＩＤタグとの間で電磁界を介して通信を行うリーダライタと、を備える開封管理システムであって、前記それぞれのＲＦＩＤタグ付き貼付シートは、容器の開封箇所に貼付されるシート状の本体であって、対向する２辺が切口辺として構成される本体と、前記本体に設けられ、ＲＦＩＣ素子およびアンテナパターンを有するＲＦＩＤタグと、を備え、前記本体は、前記切口辺に交差する方向に延びる仮想ラインである第１領域ラインと第２領域ラインとで挟まれた切断領域を有し、前記ＲＦＩＤタグの前記アンテナパターンは、前記ＲＦＩＣ素子から前記第２領域ラインを経由して前記第１領域ラインへと至る第１アンテナエレメントと、前記ＲＦＩＣ素子から前記第１領域ラインを経由して前記第２領域ラインへと至る第２アンテナエレメントとを有し、ダイポール型アンテナパターンを構成し、前記複数の前記ＲＦＩＤタグ付き貼付シートのそれぞれの前記ＲＦＩＣ素子と、前記リーダライタを通信させる通信ステップと、前記通信ステップの通信結果に基づいて、前記複数の前記ＲＦＩＤタグ付き貼付シートの中に、前記ＲＦＩＤタグの前記アンテナパターンが前記切断領域で切断されて開封済みのＲＦＩＤタグ付き貼付シートが含まれていたか否かを判定する判定ステップと、前記判定ステップにおいて、前記複数の前記ＲＦＩＤタグ付き貼付シートの中に開封済みのＲＦＩＤタグ付き貼付シートが含まれていたと判定した場合に、ユーザに通知する通知ステップとを実行することにより、前記容器の開封を管理する。
【発明の効果】
【００１２】
本発明のＲＦＩＤタグ付き包装袋および開封管理システム、並びに、ＲＦＩＤタグ付き貼付シートおよび貼付シートを貼付した容器の開封管理システムによれば、開封確認を精度良く実現することができる。
【図面の簡単な説明】
【００１３】
【図１】実施の形態１におけるＲＦＩＤタグ付き包装袋の概略平面図
【図２】ＲＦＩＤタグの概略平面図
【図３Ａ】開封管理システムの概略図（包装袋が全て未開封）
【図３Ｂ】開封管理システムの概略図（包装袋が１つ開封済み）
【図４】開封管理プロセスを示すフロー図
【図５Ａ】比較例１におけるＲＦＩＤタグ付き包装袋（未開封）の概略平面図
【図５Ｂ】比較例１におけるＲＦＩＤタグ付き包装袋（開封済み）の概略平面図
【図６Ａ】比較例２におけるＲＦＩＤタグ付き包装袋（未開封）の概略平面図
【図６Ｂ】比較例２におけるＲＦＩＤタグ付き包装袋（開封済み）の概略平面図
【図７】ＲＦＩＤタグの等価回路を示す図
【図８】ＲＦＩＣ素子の斜視図
【図９】図８に示すＲＦＩＣ素子の断面図
【図１０Ａ】多層基板として構成されているＲＦＩＣ素子における上側の絶縁層の平面図
【図１０Ｂ】ＲＦＩＣ素子における中央の絶縁層の平面図
【図１０Ｃ】ＲＦＩＣ素子における下側の絶縁層の平面図
【図１１Ａ】図１０Ａに示すＢ１−Ｂ１線に沿った上側絶縁層の断面図
【図１１Ｂ】図１０Ｂに示すＢ２−Ｂ２線に沿った中央絶縁層の断面図
【図１１Ｃ】図１０Ｃに示すＢ３−Ｂ３線に沿った下側絶縁層の断面図
【図１２】実施の形態２におけるＲＦＩＤタグ付き包装袋の概略平面図
【図１３】実施の形態３におけるＲＦＩＤタグ付き包装袋の概略平面図
【図１４】実施の形態４におけるＲＦＩＤタグ付き包装袋の概略平面図
【図１５】実施の形態５におけるＲＦＩＤタグ付き包装袋の概略平面図
【図１６】変形例におけるＲＦＩＤタグ付き包装袋の概略平面図
【図１７】実施の形態６におけるＲＦＩＤタグ付き貼付シートの平面図
【図１８】実施の形態６におけるＲＦＩＤタグ付き貼付シートの側面図
【図１９Ａ】実施の形態６におけるＲＦＩＤタグ付き貼付シートの使用例を示す斜視図（開封前）
【図１９Ｂ】実施の形態６におけるＲＦＩＤタグ付き貼付シートの使用例を示す斜視図（開封後）
【発明を実施するための形態】
【００１４】
本発明の第１態様によれば、互いに対向するシート状部材の周辺部を封止して形成される袋状の本体であって、内側に内容物を収容するための収容領域を有するとともに、その一辺に切口辺を有する本体と、前記本体に設けられるＲＦＩＣ素子およびアンテナパターンを有するＲＦＩＤタグと、を備え、前記本体は、前記収容領域を切断する領域であって、前記切口辺に交差する方向に延びる仮想ラインである第１領域ラインと第２領域ラインとで挟まれた切断領域を有し、前記ＲＦＩＤタグの前記アンテナパターンは、前記ＲＦＩＣ素子から前記第２領域ラインを経由して前記第１領域ラインへと至る第１アンテナエレメントと、前記ＲＦＩＣ素子から前記第１領域ラインを経由して前記第２領域ラインへと至る第２アンテナエレメントとを有し、ダイポール型アンテナパターンを構成する、ＲＦＩＤタグ付き包装袋を提供する。このような構成によれば、包装袋の開封確認を精度良く実施することができる。
【００１５】
本発明の第２態様によれば、ＲＦＩＣ素子は、キャリア周波数に相当する共振周波数を有する共振回路とともにパッケージ化されている、第１態様に記載のＲＦＩＤタグ付き包装袋を提供する。このような構成によれば、通信精度を向上させながら、コンパクトな構成とすることができる。
【００１６】
本発明の第３態様によれば、第１アンテナエレメントは、第１領域ラインよりも切断領域の外側において切口辺から遠ざかる方向に延びる延伸部を有し、第２アンテナエレメントは、第２領域ラインよりも切断領域の外側において切口辺から遠ざかる方向に延びる延伸部を有する、第１態様又は第２態様に記載のＲＦＩＤタグ付き包装袋を提供する。このような構成によれば、アンテナパターンの全長を長く設定することができる。
【００１７】
本発明の第４態様によれば、前記第１アンテナエレメントは、前記ＲＦＩＣ素子に接続されるとともに前記切口辺が延びる方向に沿って前記第２領域ラインを跨ぐように延びる第１延伸部と、前記第１延伸部に接続されるとともに前記切口辺から遠ざかる方向へ延びる第２延伸部と、前記第２延伸部に接続されるとともに前記切口辺が延びる方向に沿って前記第２領域ラインおよび前記１領域ラインを跨ぐように延びる第３延伸部とを有し、前記第２アンテナエレメントは、前記ＲＦＩＣ素子に接続されるとともに前記切口辺が延びる方向に沿って前記第１領域ラインを跨ぐように延びる第１延伸部と、前記第１延伸部に接続されるとともに前記切口辺に近付く方向へ延びる第２延伸部と、前記第２延伸部に接続されるとともに前記切口辺が延びる方向に沿って前記第１領域ラインおよび前記２領域ラインを跨ぐように延びる第３延伸部とを有する、第１態様から第３態様のいずれか１つに記載のＲＦＩＤタグ付き包装袋を提供する。このような構成によれば、包装袋の開封確認をより精度良く実施することができる。
【００１８】
本発明の第５態様によれば、ＲＦＩＤタグは、本体の表面に直接設けられている、第１態様から第４態様のいずれか１つに記載のＲＦＩＤタグ付き包装袋を提供する。このような構成によれば、ＲＦＩＤタグを例えば基材などを介して本体の表面に設ける場合に比べて、簡易な構成とすることができる。
【００１９】
本発明の第６態様によれば、複数のＲＦＩＤタグ付き包装袋と、前記ＲＦＩＤタグ付き包装袋のＲＦＩＤタグとの間で電磁界を介して通信を行うリーダライタと、を備える開封管理システムであって、前記それぞれのＲＦＩＤタグ付き包装袋は、互いに対向するシート状部材の周辺部を封止して形成される袋状の本体であって、その一辺に切口辺を有するとともに、内容物を収容するための収容領域を内側に有する本体と、前記本体に設けられ、ＲＦＩＣ素子およびアンテナパターンを有するＲＦＩＤタグと、を備え、前記本体は、前記収容領域を切断する領域であって、前記切口辺に交差する方向に延びる仮想ラインである第１領域ラインと第２領域ラインとで挟まれた切断領域を有し、前記ＲＦＩＤタグの前記アンテナパターンは、前記ＲＦＩＣ素子から前記第２領域ラインを経由して前記第１領域ラインへと至る第１アンテナエレメントと、前記ＲＦＩＣ素子から前記第１領域ラインを経由して前記第２領域ラインへと至る第２アンテナエレメントとを有し、ダイポール型アンテナパターンを構成し、前記複数の前記ＲＦＩＤタグ付き包装袋のそれぞれの前記ＲＦＩＣ素子と、前記リーダライタを通信させる通信ステップと、前記通信ステップの通信結果に基づいて、前記複数の前記ＲＦＩＤタグ付き包装袋の中に開封済みのＲＦＩＤタグ付き包装袋が含まれていたか否かを判定する判定ステップと、前記判定ステップにおいて、前記複数の前記ＲＦＩＤタグ付き包装袋の中に、前記ＲＦＩＤタグの前記アンテナパターンが前記切断領域で切断されて開封済みのＲＦＩＤタグ付き包装袋が含まれていたと判定した場合に、ユーザに通知する通知ステップとを実行することにより、前記複数のＲＦＩＤタグ付き包装袋の開封を管理する、開封管理システムを提供する。このような開封管理システムによれば、包装袋の開封確認を精度良く実施することができる。
【００２０】
本発明の第７態様によれば、容器の開封箇所に貼付されるシート状の本体であって、対向する２辺が切口辺として構成される本体と、前記本体に設けられるＲＦＩＣ素子およびアンテナパターンを有するＲＦＩＤタグと、を備え、前記本体は、前記切口辺に交差する方向に延びる仮想ラインである第１領域ラインと第２領域ラインとで挟まれた切断領域を有し、前記ＲＦＩＤタグの前記アンテナパターンは、前記ＲＦＩＣ素子から前記第２領域ラインを経由して前記第１領域ラインへと至る第１アンテナエレメントと、前記ＲＦＩＣ素子から前記第１領域ラインを経由して前記第２領域ラインへと至る第２アンテナエレメントとを有し、ダイポール型アンテナパターンを構成する、ＲＦＩＤタグ付き貼付シートを提供する。このような構成によれば、容器の開封確認を精度良く実施することができる。
【００２１】
本発明の第８態様によれば、前記ＲＦＩＣ素子は、キャリア周波数に相当する共振周波数を有する共振回路とともにパッケージ化されている、第７態様に記載のＲＦＩＤタグ付き貼付シートを提供する。このような構成によれば、通信精度を向上させながら、コンパクトな構成とすることができる。
【００２２】
本発明の第９態様によれば、前記第１アンテナエレメントは、前記第１領域ラインよりも前記切断領域の外側において前記切口辺から遠ざかる方向に延びる延伸部を有し、前記第２アンテナエレメントは、前記第２領域ラインよりも前記切断領域の外側において前記切口辺から遠ざかる方向に延びる延伸部を有する、第７態様又は第８態様に記載のＲＦＩＤタグ付き貼付シートを提供する。このような構成によれば、アンテナパターンの全長を長く設定することができる。
【００２３】
本発明の第１０態様によれば、前記第１アンテナエレメントは、前記ＲＦＩＣ素子に接続されるとともに前記切口辺が延びる方向に沿って前記第２領域ラインを跨ぐように延びる第１延伸部と、前記第１延伸部に接続されるとともに前記切口辺から遠ざかる方向へ延びる第２延伸部と、前記第２延伸部に接続されるとともに前記切口辺が延びる方向に沿って前記第２領域ラインおよび前記１領域ラインを跨ぐように延びる第３延伸部とを有し、前記第２アンテナエレメントは、前記ＲＦＩＣ素子に接続されるとともに前記切口辺が延びる方向に沿って前記第１領域ラインを跨ぐように延びる第１延伸部と、前記第１延伸部に接続されるとともに前記切口辺に近付く方向へ延びる第２延伸部と、前記第２延伸部に接続されるとともに前記切口辺が延びる方向に沿って前記第１領域ラインおよび前記２領域ラインを跨ぐように延びる第３延伸部とを有する、第７態様から第９態様のいずれか１つに記載のＲＦＩＤタグ付き貼付シートを提供する。このような構成によれば、容器の開封確認をより精度良く実施することができる。
【００２４】
本発明の第１１態様によれば、前記ＲＦＩＤタグは、前記本体の表面に直接設けられている、第７態様から第１０態様のいずれか１つに記載のＲＦＩＤタグ付き貼付シートを提供する。このような構成によれば、ＲＦＩＤタグを例えば基材などを介して本体の表面に設ける場合に比べて、簡易な構成とすることができる。
【００２５】
本発明の第１２態様によれば、複数のＲＦＩＤタグ付き貼付シートと、前記ＲＦＩＤタグ付き貼付シートのＲＦＩＤタグとの間で電磁界を介して通信を行うリーダライタと、を備える開封管理システムであって、前記それぞれのＲＦＩＤタグ付き貼付シートは、容器の開封箇所に貼付されるシート状の本体であって、対向する２辺が切口辺として構成される本体と、前記本体に設けられ、ＲＦＩＣ素子およびアンテナパターンを有するＲＦＩＤタグと、を備え、前記本体は、前記切口辺に交差する方向に延びる仮想ラインである第１領域ラインと第２領域ラインとで挟まれた切断領域を有し、前記ＲＦＩＤタグの前記アンテナパターンは、前記ＲＦＩＣ素子から前記第２領域ラインを経由して前記第１領域ラインへと至る第１アンテナエレメントと、前記ＲＦＩＣ素子から前記第１領域ラインを経由して前記第２領域ラインへと至る第２アンテナエレメントとを有し、ダイポール型アンテナパターンを構成し、前記複数の前記ＲＦＩＤタグ付き貼付シートのそれぞれの前記ＲＦＩＣ素子と、前記リーダライタを通信させる通信ステップと、前記通信ステップの通信結果に基づいて、前記複数の前記ＲＦＩＤタグ付き貼付シートの中に、前記ＲＦＩＤタグの前記アンテナパターンが前記切断領域で切断されて開封済みのＲＦＩＤタグ付き貼付シートが含まれていたか否かを判定する判定ステップと、前記判定ステップにおいて、前記複数の前記ＲＦＩＤタグ付き貼付シートの中に開封済みのＲＦＩＤタグ付き貼付シートが含まれていたと判定した場合に、ユーザに通知する通知ステップとを実行することにより、前記容器の開封を管理する、開封管理システムを提供する。このような開封管理システムによれば、容器の開封確認を精度良く実施することができる。
【００２６】
以下に、本発明にかかる実施の形態を図面に基づいて詳細に説明する。
【００２７】
（実施の形態１）
図１、図２は、実施の形態１におけるＲＦＩＤタグ６付きの包装袋２の概略構成を示す図である。図１は、包装袋２を示す概略平面図であり、図２は、包装袋２のＲＦＩＤタグ６を示す概略平面図である。
【００２８】
包装袋２は、所定の内容物を収容するための袋である。実施の形態１における包装袋２は、薬３を収容する薬包である。
【００２９】
包装袋２は、本体４と、基材５と、ＲＦＩＤタグ６とを備える。
【００３０】
本体４は、対向する２枚のシート状部材の周辺部同士を封止した袋状の部材である。本体４の内部には薬３が収容される。本体４の周辺部である４辺には、封止部１７が形成されている。図１では封止部１７の領域を点線で示している。
【００３１】
実施の形態１における本体４は、平面視において略矩形状に形成されている。本体４の１つの辺、実施の形態１では上側の辺は、本体４を開封するための切口辺１６として設けられている。本体４の材料は、切口辺１６から切断可能な任意の材料で形成されていればよく、実施の形態１では紙を用いる。なお、切口辺１６以外の辺からの切断を防止するために、切口辺１６と、切口辺１６以外の辺とを材質等が異なるようにしてもよい。
【００３２】
以降の説明では、切口辺１６が延びる方向（本体４の幅方向、短手方向）をＡ方向とし、切口辺１６に垂直な方向（本体４の長さ方向、長手方向）をＢ方向とする。Ａ方向とＢ方向はともに本体４の表面に平行であって互いに直交する方向である。
【００３３】
本体４において封止部１７を除く領域、すなわち、封止部１７の内側の領域は、薬３を収容するための収容領域Ｐ１である。平面視における収容領域Ｐ１は、矩形状の本体４よりも一回り小さい矩形状に形成される。
【００３４】
基材５は、本体４の表面において収容領域Ｐ１に貼り付けられるシート状の基材である。基材５にはＲＦＩＤタグ６が形成されており、基材５を収容領域Ｐ１に配置することで、ＲＦＩＤタグ６が収容領域Ｐ１に設けられる。基材５の材料は本体４と同様に、切断可能かつ絶縁性の材料であれば任意の材料で形成されていればよく、実施の形態１では紙が用いられる。
【００３５】
ＲＦＩＤタグ６は、包装袋２などの物品を識別するためのタグであり、当該物品に付されて使用される無線ＩＣデバイスである。実施の形態１では、ＲＦＩＤタグ６は、基材５を介して本体４の表面の収容領域Ｐ１に付されて使用される。ＲＦＩＤタグ６は、所定のリーダライタ（図示せず）との間で電磁界を利用した非接触方式で通信し、物品の識別情報等をリーダライタとの間で通信可能である。実施の形態１のＲＦＩＤタグ６は、ＵＨＦ帯を通信周波数帯とするＵＨＦ帯用タグである。
【００３６】
図１に示すように、ＲＦＩＤタグ６は、ＲＦＩＣ（Radio Frequency Integrated Circuit）素子８と、アンテナパターン１０とを備える。
【００３７】
ＲＦＩＣ素子８は、物品である包装袋２の識別情報を内蔵し、リーダライタとの間で当該識別情報に関する通信を行うモジュールである。実施の形態１におけるＲＦＩＣ素子８は、本体４におけるＡ方向の中央位置に設けられている。ＲＦＩＣ素子８には、アンテナパターン１０と電気的に接続するために、第１端子電極１０２および第２端子電極１０４が設けられている。ＲＦＩＣ素子８の詳細な構成については後述する。
【００３８】
アンテナパターン１０は、ＲＦＩＣ素子８がリーダライタと通信する際にブースター（増幅器）として機能する線状の導電性部材である。ＲＦＩＣ素子８の周囲に導電性のアンテナパターン１０を配置することで、アンテナパターン１０をブースターとして機能させながら、ＲＦＩＣ素子８とリーダライタとの通信が可能となる。
【００３９】
実施の形態１では、アンテナパターン１０の材料として導電性インクを用いている。このような材料に限らず、導電性の材料であれば任意の材料を用いてもよい。例えば、基材５が透明な基材である場合には、アンテナパターン１０を透明電極で形成してもよい。
【００４０】
実施の形態１におけるアンテナパターン１０は、いわゆるダイポール型のアンテナパターンである。アンテナパターン１０は、２つのアンテナエレメントとして、第１アンテナエレメント１２と第２アンテナエレメント１４とを備える。第１アンテナエレメント１２および第２アンテナエレメント１４はともに、ＲＦＩＣ素子８に電気的に接続された導電性のインクであって、ＲＦＩＣ素子８からそれぞれ異なる方向へ延びる。
【００４１】
図１に示すように、本体４における収容領域Ｐ１よりも内側には、所定の切断領域Ｐ２が設定されている。切断領域Ｐ２は、本体４を切断するための切断ラインの範囲として定められた仮想の領域である。切口辺１６において切断領域Ｐ２内で切断するように本体４に所定の目印を設けてもよい。
【００４２】
図１に示す切断領域Ｐ２は、互いに平行に延びる第１領域ライン２０および第２領域ライン２２の２つのラインによって区切られている。第１領域ライン２０および第２領域ライン２２は、切口辺１６が延びる方向（Ａ方向）に交差する方向（Ｂ方向）に延びる仮想のラインである。
【００４３】
このような構成において、第１アンテナエレメント１２は第１領域ライン２０および第２領域ライン２２の両方に跨るように延在するとともに、第２アンテナエレメント１４も第１領域ライン２０および第２領域ライン２２の両方に跨るように延在する。ＲＦＩＣ素子８の周辺において、第１アンテナエレメント１２および第２アンテナエレメント１４は、Ｓ字状の導電性のラインを構成する。
【００４４】
このような構成によれば、ユーザが切口辺１６から切断領域Ｐ２内で本体４を切断すると、第１アンテナエレメント１２および第２アンテナエレメント１４の両方が切断される。これにより、ダイポール型のアンテナパターン１０における第１アンテナエレメント１２と第２アンテナエレメント１４の両方の全長が短くなる。このため、リーダライタによる通信可能な距離が著しく短くなり、実質的に通信不可能となる。これにより、リーダライタを近づけてＲＦＩＤタグ６との通信の可否を確認することにより、包装袋２の開封確認を精度良く実施することができる。
【００４５】
次に、アンテナパターン１０の形状について、図２を用いて詳細に説明する。
【００４６】
図２に示すように、アンテナパターン１０の第１アンテナエレメント１２は、第１延伸部１２ａと、第２延伸部１２ｂと、第３延伸部１２ｃと、第４延伸部１２ｄと、第５延伸部１２ｅと、第６延伸部１２ｆと、第７延伸部１２ｇと、第８延伸部１２ｈとを備える。
【００４７】
第１延伸部１２ａは、ＲＦＩＣ素子８の第１端子電極１０２に接続されるとともに、ＲＦＩＣ素子８からＡ方向に沿って延びる。第１延伸部１２ａはこのとき、第２領域ライン２２を跨ぐ。第２延伸部１２ｂは、第１延伸部１２ａに接続されるとともに、切口辺１６から離れる方向へＢ方向に沿って延びる。第３延伸部１２ｃは、第２延伸部１２ｂに接続されるとともに、Ａ方向に沿って延びる。第３延伸部１２ｃはこのとき、第２領域ライン２２および第１領域ライン２０の両方を跨ぐ。これにより、第３延伸部１２ｃは切断領域Ｐ２を横断する。
【００４８】
第４延伸部１２ｄは、第３延伸部１２ｃに接続されるとともに、切口辺１６に近付く方向へＢ方向に沿って延びる。第５延伸部１２ｅは、第４延伸部１２ｄに接続されるとともにＡ方向に沿って延びる。第６延伸部１２ｆは、第５延伸部１２ｅに接続されるとともに切口辺１６から離れる方向へＢ方向に沿って延びる。第７延伸部１２ｇは、第６延伸部１２ｆに接続されるとともにＡ方向に沿って延びる。第８延伸部１２ｈは、第７延伸部１２ｇに接続されるとともに切口辺１６へ近付く方向へＢ方向に沿って延びる。
【００４９】
このような構成によれば、第１アンテナエレメント１２は、ＲＦＩＣ素子８から第２領域ライン２２を経由して第１領域ライン２０に至るように延びる。これにより、ユーザが切口辺１６から切断領域Ｐ２を横断するように本体４を切断すると、第１アンテナエレメント１２の少なくとも１か所（第３延伸部１２ｃ）が必ず切断される。切断場所によっては、第３延伸部１２ｃ以外に、第１延伸部１２ａも切断される。
【００５０】
次に、第２アンテナエレメント１４は、第１延伸部１４ａと、第２延伸部１４ｂと、第３延伸部１４ｃと、第４延伸部１４ｄと、第５延伸部１４ｅと、第６延伸部１４ｆとを備える。
【００５１】
第１延伸部１４ａは、ＲＦＩＣ素子８の第２端子電極１０４に接続されるとともに、ＲＦＩＣ素子８から、前述した第１アンテナエレメント１２の第１延伸部１２ａとは逆方向に向かってＢ方向に沿って延びる。第１延伸部１４ａはこのとき、第１領域ライン２０を跨ぐ。第２延伸部１４ｂは、第１延伸部１４ａに接続されるとともに切口辺１６へ近付く方向へＢ方向に沿って延びる。第３延伸部１４ｃは、第２延伸部１４ｂに接続されるとともに、Ａ方向に沿って延びる。第３延伸部１４ｃはこのとき、第１領域ライン２０および第２領域ライン２２の両方を跨ぐ。
【００５２】
第４延伸部１４ｄは、第３延伸部１４ｃに接続されるとともに、切口辺１６から離れる方向へＢ方向に沿って延びる。第５延伸部１４ｅは、第４延伸部１４ｄに接続されるとともにＡ方向に沿って延びる。第５延伸部１４ｅはこのとき、第２領域ライン２２を跨ぐ。第６延伸部１４ｆは、第５延伸部１４ｅに接続されるとともに切口辺１６に近付く方向へＢ方向に沿って延びる。
【００５３】
このような構成によれば、第２アンテナエレメント１４は、ＲＦＩＣ素子８から第１領域ライン２０を経由して第２領域ライン２２に至るように延びる。これにより、ユーザが切口辺１６から切断領域Ｐ２を横断するように本体４を切断すると、第２アンテナエレメント１４の少なくとも１か所（第３延伸部１４ｃ）が必ず切断される。切断場所によっては、第３延伸部１４ｃ以外に、第１延伸部１４ａなども切断される。
【００５４】
上記の通り、実施の形態１のアンテナパターン１０は、ＲＦＩＣ素子８の周囲にＳ字状のラインを構成し、ユーザが切口辺１６から切断領域Ｐ２内で本体４を切断したときに、第１アンテナエレメント１２と第２アンテナエレメント１４の両方が切断されるように構成されている。これにより、第１アンテナエレメント１２と第２アンテナエレメント１４の両方の長さが短くなるため、リーダライタによる通信可能な距離が著しく短くなり、実質的に通信不可能となる。言い換えれば、アンテナパターン１０の電気長が大きく減り、放射体としてのアクティブな部分が大きく減るため、利得の変化が大きくなる。これにより、リーダライタを近づけてＲＦＩＤタグ６との通信の有無を確認することにより、ＲＦＩＤタグ６と通信できれば未開封、ＲＦＩＤタグ６と通信できなければ開封済みであることを確認することができ、包装袋２の開封確認を精度良く実施することができる。
【００５５】
なお、第１アンテナエレメント１２における第３延伸部１２ｃよりも先の部分（第４延伸部１２ｄ、第５延伸部１２ｅ、第６延伸部１２ｆ、第７延伸部１２ｇ、第８延伸部１２ｈ）は、ＲＦＩＤタグ６に求められる所望の通信特性に応じてその形状が決定される。これらの部分の長さを長く設定することで、第１アンテナエレメント１２の全長が長く設定されるため、切断領域Ｐ２で第３延伸部１２ｃが切断されたときに、アクティブな部分として残る部分の長さを短くすることができる（例えば半分以上短くすることができる）。特に実施の形態１では、第１領域ライン２０よりも切断領域Ｐ２の外側において、切口辺１６から遠ざかる方向に延びる第６延伸部１２ｆを設けることで、第１アンテナエレメント１２の全長をより長く設定することができる。
【００５６】
第２アンテナエレメント１４についても同様である。
【００５７】
上述したように、本実施の形態１の包装袋２は、本体４とＲＦＩＤタグ６とを備え、ＲＦＩＤタグ６は、ＲＦＩＣ素子８とアンテナパターン１０とを備える。アンテナパターン１０は、第１アンテナエレメント１２と、第２アンテナエレメント１４とを有して、ダイポール型アンテナを構成する。第１アンテナエレメント１２は、ＲＦＩＣ素子８から第２領域ライン２２を経由して第１領域ライン２０へと至る。一方で、第２アンテナエレメント１４は、ＲＦＩＣ素子８から第１領域ライン２０を経由して第２領域ライン２２へと至る。
【００５８】
このような構成によれば、ＲＦＩＤタグ６にリーダライタを近づけて通信確認を行うことで、包装袋２の開封確認を精度良く実施することができる。
【００５９】
また本実施の形態１の包装袋２によれば、アンテナパターン１０を構成する導電性の線状部分が、Ａ方向又はＢ方向のいずれかに沿って延在している。これにより、アンテナパターン１０を簡易な構成により実現することができる。特に、アンテナパターン１０においてＳ字の導電性ラインを構成する第１アンテナエレメント１２の第１延伸部１２ａおよび第３延伸部１２ｃ並びに第２アンテナエレメント１４の第１延伸部１４ａおよび第３延伸部１４ｃはいずれも、切口辺１６に沿って延在している（Ａ方向）。これにより、アンテナパターン１０を簡易な構成により実現することができる。
【００６０】
また本実施の形態１の包装袋２によれば、ＲＦＩＣ素子８は、本体４におけるＡ方向の中央位置に設けられている。これにより、切断領域Ｐ２内で本体４を切断したときに、第１アンテナエレメント１２と第２アンテナエレメント１４の長さをバランス良く短くすることができるため、包装袋２の開封確認をより精度良く実施することができる。
【００６１】
＜開封管理システム＞
次に、上述した構成を有するＲＦＩＤタグ６付きの包装袋２を用いて、包装袋２の開封を管理するための開封管理システムについて説明する。
【００６２】
図３Ａ、３Ｂは、開封管理システム２２０の一例を示す。開封管理システム２２０は、複数の包装袋２と、リーダライタ２２２とを備えている。図３Ａ、３Ｂの例では、複数の包装袋２が連なって設けられている。
【００６３】
図３Ａは、全ての包装袋２が未開封の状態を示し、図３Ｂは、１つの包装袋２ａが切断ライン２２４に沿って切断されて開封済みの状態を示している。
【００６４】
このような構成において、図４のフローチャートに沿って行う開封管理プロセスについて説明する。
【００６５】
図４に示すように、まず、第１の通信ステップを行う（ステップＳ１）。具体的には、図３Ａに示すように、全ての包装袋２が未開封の状態において、リーダライタ２２２を複数の包装袋２に近付けて走査する（矢印参照）。リーダライタ２２２がそれぞれの包装袋２のＲＦＩＤタグ６と連続的に通信することにより、ＲＦＩＤタグ６のＲＦＩＣ素子８からリーダライタ２２２へ包装袋２の識別情報等が送信される。図３Ａに示す場合、リーダライタ２２２は全ての包装袋２の識別情報を取得する。当該通信結果はリーダライタ２２２内に記憶される。
【００６６】
次に、第２の通信ステップを行う（ステップＳ２）。具体的には、ステップＳ１の後に１つ（又は複数）の包装袋２が開封されてから、リーダライタ２２２を複数の包装袋２に近付けて走査する。図３Ｂに示す例では、左端の１つの包装袋２ａが開封されている。包装袋２ａが開封されると、前述したようにリーダライタ２２２との通信が実質的に不可能になる。よって、リーダライタ２２２をそれぞれの包装袋２に近付けると、開封された包装袋２ａを除く包装袋２のＲＦＩＤタグ６と通信し、通信できた包装袋２の識別情報を取得する。当該通信結果はリーダライタ２２２内に記憶される。
【００６７】
次に、判定ステップを行う（ステップＳ３）。具体的には、ステップＳ１とステップＳ２の通信結果を比較することにより、開封された包装袋２が存在するか否かを判定する。今回の例では、ステップＳ１で取得した包装袋２ａの識別情報が、ステップＳ２で取得した識別情報には含まれていない。このことに基づいて包装袋２ａが開封されたと判定することができる。
【００６８】
次に、通知ステップを行う（ステップＳ４）。具体的には、ステップＳ３による判定結果をユーザに通知する。なお、ユーザ（医者又は看護師など）への通知方法は画面に表示する等、任意の方法であってもよい。ユーザは通知を受けることにより、包装袋２の開封の有無を確認および管理することができる。今回の例では、１つの包装袋２ａが開封されたことを確認することができる。
【００６９】
上記方法では、第１の通信ステップＳ１と第２の通信ステップＳ２という２つの通信ステップを行い、両者の通信結果を比較する場合について説明したが、このような場合に限らない。例えば、複数の包装袋２の識別情報を予め記憶するとともに、第１の通信ステップＳ１を省略して、第２の通信ステップＳ２の通信結果と、予め記憶していた識別情報とを比較してもよい。このような場合であっても、包装袋２の開封確認を実施することができる。
【００７０】
上述した開封管理システム２２０は、複数の包装袋２と、リーダライタ２２２とを備える。このような構成において、少なくとも第２の通信ステップＳ２、判定ステップＳ３および通知ステップＳ４を実行することにより、複数の包装袋２の開封を管理することができる。このような開封管理システム２２０によれば、上述したＲＦＩＤタグ６付きの包装袋２を用いることで、包装袋２の開封管理を精度良く実施することができる。
【００７１】
次に、実施の形態１の比較例１、２について、図５Ａ、５Ｂ、６Ａ、６Ｂを用いて説明する。
【００７２】
（比較例１）
図５Ａ、５Ｂは、比較例１による包装袋３０を示す平面図である。以降の図面では、包装袋の下側の図示を省略する。
【００７３】
図５Ａに示すように、比較例１による包装袋３０は、ダイポール型のアンテナパターンを構成する第１アンテナエレメント３２および第２アンテナエレメント３４の形状が、実施の形態１の包装袋２と異なっている。
【００７４】
第１アンテナエレメント３２は、第１延伸部３２ａと、第２延伸部３２ｂと、第３延伸部３２ｃと、第４延伸部３２ｄとを備える。これらが延びる方向については、実施の形態１と同様であるため説明を省略する。
【００７５】
第２アンテナエレメント３４は、第１延伸部３４ａと、第２延伸部３４ｂと、第３延伸部３４ｃと、第４延伸部３４ｄとを備える。このような構成により、第２アンテナエレメント３４は、中心線３７を中心として、第１アンテナエレメント３２と線対称な形状を有する。中心線３７は、ＲＦＩＣ素子８を通過するとともにＢ方向に延びるラインである。
【００７６】
第１アンテナエレメント３２は、中心線３７を中心としてＲＦＩＣ素子８の左側の領域のみに延在し、第２アンテナエレメント３４は、中心線３７を中心としてＲＦＩＣ素子８の右側の領域のみに延在している。
【００７７】
このような構成によれば、図５Ｂに示すように、切口辺１６から本体４を切断したときに、第１アンテナエレメント３２あるいは第２アンテナエレメント３４のいずれかのみを切断することとなる。例えば、ＲＦＩＣ素子８よりも左側の切断ライン３６で切断した場合、第１アンテナエレメント３２のみが切断される。また、ＲＦＩＣ素子８よりも右側の切断ライン３８で切断した場合、第２アンテナエレメント３４のみが切断される。
【００７８】
このため、いずれの切断ライン３６、３８で切断した場合でも、アンテナパターンにおいて切断されないアクティブなアンテナエレメントが残ることとなり、リーダライタとの通信が実質的に不可能とならない場合がある。
【００７９】
（比較例２）
図６Ａ、６Ｂは、比較例２による包装袋４０を示す平面図である。
【００８０】
図６Ａに示すように、比較例２による包装袋４０は、比較例１と同様に、ダイポール型のアンテナパターンを構成する第１アンテナエレメント４２および第２アンテナエレメント４４の形状が、実施の形態１の包装袋２と異なっている。
【００８１】
第１アンテナエレメント４２は、第１延伸部４２ａと、第２延伸部４２ｂと、第３延伸部４２ｃとを備える。
【００８２】
第２アンテナエレメント４４は、第１延伸部４４ａと、第２延伸部４４ｂと、第３延伸部４４ｃとを備える。このような構成により、第２アンテナエレメント４４は、中心線４５を中心として、第１アンテナエレメント４２と線対称な形状を有する。中心線４５は、ＲＦＩＣ素子８を通過するとともにＡ方向に延びるラインである。
【００８３】
このように、第１アンテナエレメント４２と第２アンテナエレメント４４はともに、ＲＦＩＣ素子８を起点として右側から左側に向かって延在している。すなわち、Ｓ字状のラインを構成しない。
【００８４】
このような構成によれば、図６Ｂに示すように、切口辺１６から本体４を切断したときに、比較例１とは異なり、第１アンテナエレメント４２と第２アンテナエレメント４４の両方が切断されることとなる。しかしながら、右側の切断ライン４６で切断した場合には、第１アンテナエレメント４２と第２アンテナエレメント４４の全長がともに著しく短くなる一方で、左側の切断ライン４８で切断した場合には、いずれの全長もさほど短くならない。よって、特に、左側の切断ライン４８で切断した場合には、アンテナパターンにおけるそれぞれのアンテナエレメント４２、４４の全長がそれほど短くならず、リーダライタとの通信が実質的に不可能とならない場合がある。
【００８５】
上記比較例１、２に対して、本実施の形態１の包装袋２であれば、ＲＦＩＣ素子８を起点とするＳ字状のラインをアンテナパターン１０が構成するとともに、切断領域Ｐ２を横断する切断ラインであればいずれのアンテナエレメント１２、１４も切断される。これにより、アンテナエレメント１２、１４の全長もバランス良く短くすることができ、リーダライタとの通信が実質的に不可能となる。よって、包装袋２の開封確認を精度良く実施することができる。
【００８６】
次に、実施の形態１の包装袋２に使用されるＲＦＩＣ素子８について、図７―１１Ｃを用いて説明する。
【００８７】
図７に示すＲＦＩＣ素子８は、例えば、９００ＭＨｚ帯、すなわちＵＨＦ帯の通信周波数に対応するＲＦＩＣ素子である。ＲＦＩＣ素子８は、ＲＦＩＣチップ１０６と、整合回路１０８とを有する。整合回路１０８は、ＲＦＩＣチップ１０６とアンテナパターン１０との間でインピーダンス整合をとるための回路である。
【００８８】
ＲＦＩＣチップ１０６は、第１入力端子１０６ａと、第２入力端子１０６ｂとを備える。第１入力端子１０６ａは、整合回路１０８を介して第１アンテナエレメント１２に接続されている。第２入力端子１０６ｂは、整合回路１０８を介して第２アンテナエレメント１４に接続されている。
【００８９】
ＲＦＩＣチップ１０６は、アンテナとして機能する第１アンテナエレメント１２および第２アンテナエレメント１４が外部から高周波信号を受信すると、その受信によって誘起された電流の供給を受けて起動する。起動したＲＦＩＣチップ１０６は、高周波信号を生成し、その生成信号を第１アンテナエレメント１２および第２アンテナエレメント１４を介して電波として外部に出力する。
【００９０】
ここからは、ＲＦＩＣ素子８の具体的な構成について説明する。
【００９１】
図８は、ＲＦＩＣ素子８の斜視図である。本実施の形態１の場合、ＲＦＩＣ素子８は、ＲＦＩＣチップ１０６と整合回路１０８とが設けられる素子基板として多層基板１２０を有する。多層基板１２０は、可撓性を備える複数の絶縁層を積層して構成されている。複数の絶縁層は、例えば、ポリイミドや液晶ポリマ等の可撓性を有する樹脂絶縁層である。
【００９２】
図９は、図８に示すＲＦＩＣ素子８の横断面図である。ここからは、第１端子電極１０２および第２端子電極１０４が設けられている側をＲＦＩＣ素子８の上側として説明を行う。
【００９３】
図１０Ａは、多層基板１２０の上側の絶縁層の上面図である。図１０Ｂは、多層基板１２０の中央の絶縁層の上面図である。図１０Ｃは、多層基板１２０の下側の絶縁層の上面図である。図１１Ａは、図１０Ａに示すＢ１−Ｂ１線に沿った絶縁層の断面図である。図１１Ｂは、図１０Ｂに示すＢ２−Ｂ２線に沿った絶縁層の断面図である。図１１Ｃは、図１０Ｃに示すＢ３−Ｂ３線に沿った絶縁層の断面図である。
【００９４】
多層基板１２０には、図９に示すように、ＲＦＩＣチップ１０６と、整合回路１０８として機能する給電回路１２２とが内蔵されている。多層基板１２０には、第１端子電極１０２および第２端子電極１０４が形成されている。
【００９５】
ＲＦＩＣチップ１０６は、シリコン等の半導体を素材とする半導体基板に各種の素子を内蔵した構造を有する。ＲＦＩＣチップ１０６には、図１０Ｃに示すように、第１入出力端子１０６ａおよび第２入出力端子１０６ｂが形成されている。
【００９６】
給電回路１２２は、図９に示すように、コイル導体１２４および層間接続導体１２６、１２８によって構成されている。コイル導体１２４は、図１０Ｂまたは図１０Ｃに示すコイルパターン１２４ａ〜１２４ｃによって構成されている。コイルパターン１２４ａは、第１コイル部ＣＩＬ１を構成する。コイルパターン１２４ｂは、第２コイル部ＣＩＬ２を構成する。コイルパターン１２４ｃは、第３のコイル部ＣＩＬ３および第４のコイル部ＣＩＬ４を構成する。
【００９７】
第１コイル部ＣＩＬ１、第３のコイル部ＣＩＬ３、および層間接続導体１２６は、長さ方向（Ｙ軸方向）の一方側の位置において、厚さ方向（Ｚ軸方向）に並ぶように配置されている。第２コイル部ＣＩＬ２、第４のコイル部ＣＩＬ４、および層間接続導体１２８は、長さ方向（Ｙ軸方向）の他方側の位置において、厚さ方向（Ｚ軸方向）に並ぶように配置されている。
【００９８】
ＲＦＩＣチップ１０６は、多層基板１２０を高さ方向（Ｚ軸方向）に見たとき、第１コイル部ＣＩＬ１と第２コイル部ＣＩＬ２との間に配置されている。また、ＲＦＩＣチップ１０６は、第３のコイル部ＣＩＬ３と第４のコイル部ＣＩＬ４との間にも配置されている。
【００９９】
第１端子電極１０２は長さ方向（Ｙ軸方向）の一方側の位置に配置され、第２端子電極１０４は他方側の位置に配置されている。第１端子電極１０２および第２端子電極１０４は、可撓性を備える銅箔から作製され、同一サイズの短冊状に形成されている。
【０１００】
多層基板１２０は、図１０Ａ〜図１０Ｃに示すように、積層された３つのシート状の絶縁層１２０ａ〜１２０ｃによって構成されている。上側の絶縁層１２０ａと下側の絶縁層１２０ｃの間に絶縁層１２０ｂが位置する。
【０１０１】
絶縁層１２０ａには、第１端子電極１０２および第２端子電極１０４が形成されている。
【０１０２】
絶縁層１２０ｂの中央には、矩形断面を備える貫通孔ＨＬ１が形成されている。貫通孔ＨＬ１は、ＲＦＩＣチップ１０６を収容するサイズに形成されている。また、絶縁層１２０ｂの貫通孔ＨＬ１の周辺には、帯状のコイルパターン１２４ｃが形成されている。コイルパターン１２４ｃは、可撓性を有する銅箔を素材として構成されている。
【０１０３】
コイルパターン１２４ｃの一端部は、厚さ方向視（Ｚ軸方向視）において第１端子電極１０２と重なり、厚さ方向（Ｚ軸方向）に延在する層間接続導体１３０によって第１端子電極１０２と接続されている。また、コイルパターン１２４ｃの他端部は、厚さ方向視において第２端子電極１０４と重なり、厚さ方向に延在する層間接続導体１３２によって第２端子電極１０４と接続されている。層間接続導体１３０、１３２は、Ｓｎを主成分とする金属バルクで構成されている。
【０１０４】
コイルパターン１２４ｃは、一端部の周りを反時計回りの方向に２回転し、その後、屈曲して長さ方向（Ｙ軸方向）に延在する。その長さ方向（Ｙ軸方向）に延在したコイルパターン１２４ｃは、幅方向（Ｘ軸方向）に屈曲し、他端部の周りを反時計回りの方向に２回転してから他端部に達する。
【０１０５】
絶縁層１２０ｃには、帯状のコイルパターン１２４ａ、１２４ｂが形成されている。コイルパターン１２４ａ、１２４ｂは、可撓性を有する銅箔を素材として構成されている。
【０１０６】
コイルパターン１２４ａの外側の端部（第１コイル端Ｔ１）は、矩形状貫通孔ＨＬ１の１つのコーナー部と重なる位置に配置されている。また、コイルパターン１２４ｂの外側の端部（第２コイル端Ｔ２）は、矩形状貫通孔ＨＬ１の４つのコーナー部のうち、第１コイル端Ｔ１が配置されているコーナー部に対して長さ方向（Ｙ軸方向）に並ぶコーナー部と重なる位置に配置されている。
【０１０７】
コイルパターン１２４ａの中心側の端部を起点としたとき、コイルパターン１２４ａは、中心側端部の周りを時計回りの方向に２．５回転し、その後に幅方向（Ｘ軸方向）に屈曲して他端部（第１コイル端Ｔ１）に達する。同様に、コイルパターン１２４ｂの中心側の端部を起点としたとき、コイルパターン１２４ｂは、中心側端部の周りを反時計回りの方向に２．５回転し、その後に幅方向（Ｘ軸方向）に屈曲して他端部（第２コイル端Ｔ２）に達する。また、コイルパターン１２４ａの中心側端部は、厚さ方向（Ｚ軸方向）に延在する延びる層間接続導体１２６によってコイルパターン１２４ｃの一端部と接続されている。コイルパターン１２４ｂの中心側端部は、厚さ方向に延びる層間接続導体１２８によってコイルパターン１２４ｃの他端部と接続されている。層間接続導体１２６、１２８は、Ｓｎを主成分とする金属バルクで構成されている。
【０１０８】
ここで、コイルパターン１２４ａの中心側端部またはコイルパターン１２４ｃの一端部の位置を“第１位置Ｐ１”といい、コイルパターン１２４ｂの中心側端部またはコイルパターン１２４ｃの他端部の位置を“第２位置Ｐ２”と定義する。
【０１０９】
絶縁層１２０ｃには、ダミー導体１３４、１３６が形成されている。ダミー導体１３４、１３６は、可撓性を有する銅箔を素材として構成されている。絶縁層１２０ｂ，１２０ｃを厚さ方向視（Ｚ軸方向視）したとき、ダミー導体１３４、１３６は、矩形状貫通孔ＨＬ１の４つのコーナー部のうち、第１および第２コイル端Ｔ１、Ｔ２が配置されているコーナー部と幅方向（Ｘ軸方向）に対向するコーナー部にそれぞれ重なるように配置されている。
【０１１０】
ＲＦＩＣチップ１０６は、その４つのコーナー部が第１コイル端Ｔ１、第２コイル端Ｔ２、およびダミー導体１３４、１３６とそれぞれ対向するように、絶縁層１２０ｃに実装されている。第１入出力端子１０６ａが第１コイル端Ｔ１に接続され、第２入出力端子１０６ｂが第２コイル端Ｔ２に接続されている。
【０１１１】
なお、絶縁層１２０ａ〜１２０ｃの厚さは、１０μｍ以上１００μｍ以下である。このため、多層基板１２０に内蔵されたＲＦＩＣチップ１０６および給電回路１２２は、外側から透けて見える。従って、ＲＦＩＣチップ１０６および給電回路１２２の接続状態（断線の有無）を容易に確認することができる。
【０１１２】
図７において等価回路で示されるＲＦＩＣ素子８において、インダクタＬ１は、第１コイル部ＣＩＬ１に対応している。インダクタＬ２は、第２コイル部ＣＩＬ２に対応している。インダクタＬ３は、第３コイル部ＣＩＬ３に対応している。インダクタＬ４は、第４コイル部ＣＩＬ４に対応している。給電回路１２２によるインピーダンス整合の特性は、インダクタＬ１〜Ｌ４の値によって規定される。
【０１１３】
インダクタＬ１の一端部は、ＲＦＩＣチップ１０６の第１入出力端子１０６ａに接続されている。インダクタＬ２の一端部は、ＲＦＩＣチップ１０６の第２入出力端子１０６ｂに接続されている。インダクタＬ１の他端部は、インダクタＬ３の一端部に接続されている。インダクタＬ２の他端部は、インダクタＬ４の一端部に接続されている。インダクタＬ３の他端部は、インダクタＬ４の他端部に接続されている。第１端子電極１０２は、インダクタＬ１、Ｌ３の接続点に接続されている。第２端子電極１０４は、インダクタＬ２、Ｌ４の接続点に接続されている。
【０１１４】
また、図７に示す等価回路から分かるように、第１コイル部ＣＩＬ１、第２コイル部ＣＩＬ２、第３のコイル部ＣＩＬ３、および第４のコイル部ＣＩＬ４は、磁界が同相となるように巻回され且つ互いに直列接続されている。したがって、これらのコイル部ＣＩＬ１〜ＣＩＬ４から発生する磁界は、同一方向に向く。
【０１１５】
また、図１０Ｂおよび図１０Ｃから分かるように、第１コイル部ＣＩＬ１および第３のコイル部ＣＩＬ３は、ほぼ同一のループ形状で且つ同一の第１巻回軸を有している。同様に、第２コイル部ＣＩＬ２および第４のコイル部ＣＩＬ４は、ほぼ同一のループ形状で且つ同一の第２巻回軸を有している。第１巻回軸および第２巻回軸は、ＲＦＩＣチップ１０６を挟む位置に配置されている。
【０１１６】
すなわち、第１コイル部ＣＩＬ１および第３のコイル部ＣＩＬ３は、磁気的且つ容量的に結合している。同様に、第２コイル部ＣＩＬ２および第４のコイル部ＣＩＬ４は、磁気的且つ容量的に結合している。
【０１１７】
ＲＦＩＣチップ１０６は、半導体基板で構成されている。そのため、第１コイル部ＣＩＬ１、第２コイル部ＣＩＬ２、第３のコイル部ＣＩＬ３、および第４のコイル部ＣＩＬ４に対して、ＲＦＩＣチップ１０６は、グランド又はシールドとして機能する。その結果、第１コイル部ＣＩＬ１と第２コイル部ＣＩＬ２は、また、第３のコイル部ＣＩＬ３と第４のコイル部ＣＩＬ４は、磁気的にも容量的にも互いに結合し難くなる。これによって、通信信号の通過帯域が狭くなる懸念を軽減することができる。
【０１１８】
以上、上述した構成によれば、ＲＦＩＤタグ６は、物品の金属表面に取り付けられても通信可能であって、且つ、より高い通信能力を備える、すなわちより高い放射効率で電波を放射することができる。
【０１１９】
上述したようにおよび図７に示すように、ＲＦＩＣ素子８の整合回路１０８が、第１アンテナエレメント１２および第２アンテナエレメント１４と、ＲＦＩＣ素子８のＲＦＩＣチップ１０６との間でインピーダンス整合をとる。したがって、ＲＦＩＣ素子８は、例えばＵＨＦ帯の周波数（例えば９００ＭＨｚ）で良好な通信特性を示す。また、整合回路１０８は、キャリア周波数に相当する共振周波数を有する共振回路を構成する。中心周波数の設定は主にＲＦＩＣ素子８が担うため、アンテナパターン１０は単なる放射帯として機能し、アンテナパターン１０の構造もシンプルである。よって、複数の包装袋２を重ねた場合であってもリーダライタによって同時に読み取ることができ、また内容物や袋の材質の影響を受けにくく、耐環境性にも優れている。
【０１２０】
このように、実施の形態１の包装袋２によれば、ＲＦＩＣ素子８は、キャリア周波数に相当する共振周波数を有する共振回路とともにパッケージ化されている。これにより、通信精度を向上させながら、コンパクトな構成とすることができる。
【０１２１】
上述の通り、実施の形態１について説明したが、本発明は上述した構成に限らず、以下で挙げるような他の実施形態も可能である。
【０１２２】
（実施の形態２）
次に、実施の形態２における包装袋５０について、図１２を用いて説明する。
【０１２３】
図１２は、実施の形態２における包装袋５０の平面図である。図１２に示すように、実施の形態２の包装袋５０は、ダイポール型のアンテナパターンを構成する第１アンテナエレメント５４および第２アンテナエレメント５６の形状が、実施の形態１の包装袋２と異なっている。
【０１２４】
第１アンテナエレメント５４は、ＲＦＩＣ素子５５に接続される第１延伸部５４ａと、第２延伸部５４ｂと、第３延伸部５４ｃと、第４延伸部５４ｄと、第５延伸部５４ｅと、第６延伸部５４ｆとを備える。第２アンテナエレメント５６は、ＲＦＩＣ素子５５に接続される第１延伸部５６ａと、第２延伸部５６ｂと、第３延伸部５６ｃと、第４延伸部５６ｄと、第５延伸部５６ｅと、第６延伸部５６ｆとを備える。これらの延伸部の具体的な形状については、実施の形態１と同様であるため詳細な説明を省略する。
【０１２５】
このような構成によれば、実施の形態１と比較して、第２アンテナエレメント５６の第１延伸部５６ａおよび第３延伸部５６ｃが左側に長く伸びている。よって、切断領域Ｐ３の範囲である第１領域ライン６０と第２領域ライン６２の間の幅を、実施の形態１の切断領域Ｐ２よりも幅広く設定することができる。切断領域Ｐ３を幅広く設定した場合であっても、実施の形態１と同様に、第１アンテナエレメント５４は、ＲＦＩＣ素子５５から第２領域ライン６２を経由して第１領域ライン６０に至り、第２アンテナエレメント５６は、ＲＦＩＣ素子５５から第１領域ライン６０を経由して第２領域ライン６２に至る。
【０１２６】
当該構成によれば、ユーザが切口辺１６から切断領域Ｐ３を横断するように本体４を切断したときに、第１アンテナエレメント５４と第２アンテナエレメント５６の両方が切断されるとともに、その全長がバランス良く短くなる。これにより、リーダライタとの通信が実質的に不可能となるため、リーダライタを近付けることにより包装袋２の開封確認を精度良く実施することができる。
【０１２７】
特に、第２アンテナエレメント５６が第１領域ライン６０に向かって延びる長さが、実施の形態１よりも長く設定されているため、切断領域Ｐ３の範囲を広く設定することができる。これにより、包装袋５０を切断する際にユーザの利便性を向上させることができる。
【０１２８】
なお、実施の形態２のＲＦＩＣ素子５５は、第２アンテナエレメント５６の第１延伸部５６ａおよび第３延伸部５６ｃが左側に長く伸びたことに伴い、本体４の幅方向の中央位置よりも左側に位置している。
【０１２９】
（実施の形態３）
次に、実施の形態３における包装袋７０について、図１３を用いて説明する。
【０１３０】
図１３は、実施の形態３における包装袋７０の平面図である。図１３に示すように、実施の形態３の包装袋７０は主に、ダイポール型のアンテナパターンを構成する第１アンテナエレメント７４および第２アンテナエレメント７６の端部同士が接続されて一続きになっている点、および、ＲＦＩＣ素子７８の配置が、実施の形態１の包装袋２と異なっている。
【０１３１】
第１アンテナエレメント７４は、ＲＦＩＣ素子７８に接続される第１延伸部７４ａと、第２延伸部７４ｂと、第３延伸部７４ｃと、第４延伸部７４ｄと、第７延伸部７４ｅと、第６延伸部７４ｆと、第７延伸部７４ｇとを備える。第２アンテナエレメント７６は、ＲＦＩＣ素子７８に接続される第１延伸部７６ａと、第２延伸部７６ｂと、第３延伸部７６ｃと、第４延伸部７６ｄと、第５延伸部７６ｅとを備える。
【０１３２】
ここで、第１アンテナエレメント７４の終端部である第７延伸部７４ｇと、第２アンテナエレメント７６の終端部である第５延伸部７６ｅとが接続されて一続きになっている。すなわち、第１アンテナエレメント７４および第２アンテナエレメント７６は、一体的な導電性ラインを構成する。図１３に示す例では、第７延伸部７４ｇと第５延伸部７６ｅの接続箇所は、本体４の幅方向における概ね中央位置に図示しているが、それ以外の位置を接続箇所としてもよい。
【０１３３】
このように、実施の形態３におけるアンテナパターンは、いわゆる「折返しダイポール型」のアンテナパターンを構成する。
【０１３４】
このような折り返しダイポール型のアンテナパターンを採用した場合であっても、ユーザが切口辺１６から切断領域Ｐ２を横断するように本体４を切断したときに、第１アンテナエレメント７４と第２アンテナエレメント７６の両方が切断されるように構成されている。このような構成により、包装袋７０の開封確認を精度良く実施することができる。
【０１３５】
一方、ＲＦＩＣ素子７８は、実施の形態１のＲＦＩＣ素子８と異なり、切口辺１６が延びる方向（Ａ方向）とＲＦＩＣ素子７８の短手方向とが一致するように、縦向きに配置されている。
【０１３６】
このようにＲＦＩＣ素子７８を配置することで、本体４が切口辺１６に交差する方向に沿って切断される際に、ＲＦＩＣ素子７８が切断の障害となることを抑制することができる。これにより、包装袋７０の開封確認をより精度良く実施することができる。
【０１３７】
（実施の形態４）
次に、実施の形態４における包装袋８０について、図１４を用いて説明する。
【０１３８】
図１４は、実施の形態４における包装袋８０の平面図である。図１４に示すように、実施の形態４の包装袋８０は、本体８１の切口辺８２に２箇所の切れ込み８４ａ、８４ｂを設けている点が、実施の形態１の包装袋２と異なっている。
【０１３９】
切れ込み８４ａ、８４ｂは、切口辺８２における切断領域Ｐ２内に収まる位置に設けられている。
【０１４０】
このような切れ込み８４ａ、８４ｂを設けることにより、ユーザは本体８１の切断を容易に行うことができる。また、切れ込み８４ａ、８４ｂの位置を切口辺８２における切断領域Ｐ２内に設定することで、切断領域Ｐ２内で切断することを精度良く確保することができる。このような構成により、包装袋８０の開封確認を精度良く実施することができる。
【０１４１】
（実施の形態５）
次に、実施の形態５における包装袋９０について、図１５を用いて説明する。
【０１４２】
図１５は、実施の形態５における包装袋９０の平面図である。図１５に示すように、実施の形態５の包装袋９０は、基材５が設けられておらず、ＲＦＩＤタグ６を本体４の表面に直接設けている点が、実施の形態１の包装袋２と異なっている。
【０１４３】
ＲＦＩＤタグ６を本体４の表面に直接設けるには例えば、アンテナパターン１０を本体４のシート状部材に印刷、転写すること等により設けることができる。ＲＦＩＣ素子８についても、本体４上にＲＦＩＣ素子８を配置するとともに、ＲＦＩＣ素子８を覆うように粘着性のシートを本体４に貼り付けること等により、ＲＦＩＣ素子８を本体４に直接設けることができる。
【０１４４】
このようにＲＦＩＤタグ６を本体４の表面に直接設けることにより、基材５を介して設ける場合に比べてより簡易な構成とすることができる。
【０１４５】
以上、上述の実施の形態および変形例を挙げて本発明を説明したが、本発明は上述の実施の形態および変形例に限定されない。例えば、実施の形態１の１つの変形例について、図１６を用いて説明する。
【０１４６】
＜変形例＞
図１６に示す包装袋２００は、ＲＦＩＣ素子２０２を設ける位置が、実施の形態１の包装袋２と異なっている。
【０１４７】
包装袋２００のアンテナパターン２０４は、図１６に示すように、第１切断用延伸部２０６、第２切断用延伸部２０８および第３切断用延伸部２１０を、切口辺１６から近い順に備えている。第１切断用延伸部２０６は、実施の形態１の第２アンテナエレメント１４の第３延伸部１４ｃに対応する。第２切断用延伸部２０８は、実施の形態１の第１アンテナエレメント１２の第１延伸部１２ａおよび第２アンテナエレメント１４の第１延伸部１４ａに対応する。第３切断用延伸部２１０は、実施の形態１の第１アンテナエレメント１２の第３延伸部１２ｃに対応する。
【０１４８】
アンテナパターン２０４はさらに、第１接続用延伸部２１２と、第２接続用延伸部２１４とを備える。第１接続用延伸部２１２は、第１切断用延伸部２０６の一端と、当該一端に近い側の第２切断用延伸部２０８の一端を接続している。第２接続用延伸部２１４は、第２切断用延伸部２０８の他端と、当該他端に近い側の第３切断用延伸部２１０の一端を接続している。
【０１４９】
実施の形態１では、ＲＦＩＣ素子８が第２切断用延伸部２０８に設けられていたが、本変形例では、図１６に示すように、ＲＦＩＣ素子２０２が第２接続用延伸部２１４に設けられる。図１６では、ＲＦＩＣ素子２０２を設ける場所を便宜的に点線で示しているが、実際に設ける場合には、第２接続用延伸部２１４を、ＲＦＩＣ素子２０２の２つの端子電極に接続するように分割すればよい。
【０１５０】
このような場合であっても、図１６に示す構成では、第１切断用延伸部２０６、第２切断用延伸部２０８および第３切断用延伸部２１０はＳ字状の線状部分を構成する。また、第１切断用延伸部２０６、第２切断用延伸部２０８および第３切断用延伸部２１０のいずれも、本体４の幅方向であるＡ方向において、所定の切断領域Ｐ２にわたって延在するように形成されている。よって、切口辺１６から切断領域Ｐ２内で本体４を切断すると、ＲＦＩＣ素子２０２から一方側に延びて第３切断用延伸部２１０を含む第１アンテナエレメント２１６と、ＲＦＩＣ素子８から他方側に延びて第１切断用延伸部２０６を含む第２アンテナエレメント２１８がともにバランス良く切断されることとなる。これにより、実施の形態１の包装袋２と同様に、包装袋２００の開封確認を精度良く実施することができる。
【０１５１】
本変形例では、ＲＦＩＣ素子２０２を第２接続用延伸部２１４に設ける場合について説明したが、このような場合に限らず、第１接続用延伸部２１２に設けても同様の効果を奏することができる。
【０１５２】
当該変形例および実施の形態１を考慮すると、ＲＦＩＣ素子８、２０２は、第２切断用延伸部２０８、第１接続用延伸部２１２又は第２接続用延伸部２１４のいずれかに設けられてもよい。
【０１５３】
他にも、上記実施の形態では、包装袋２として薬３を収容する薬包を用いる場合について説明したが、このような場合に限らず、薬以外の内容物（例えば鍵など）を収容する包装袋であれば、同様に適用可能である。
【０１５４】
また実施の形態１では、図２に示すように、第１アンテナエレメント１２の第３延伸部１２ｃおよび第２アンテナエレメント１４の第３延伸部１４ｃがともに、第１領域ライン２０と第２領域ライン２２の両方を跨いでいるが、このような構成に限られない。例えば、第１アンテナエレメント１２の第３延伸部１２ｃの両端が、第１領域ライン２０、第２領域ライン２２の上に位置してもよい。すなわち、第２延伸部１２ｂが第２領域ライン２２の上にあり、第４延伸部１２ｄが第１領域ライン２０の上にあってもよい。同様に、第２アンテナエレメント１４の第３延伸部１４ｃの両端が、第１領域ライン２０、第２領域ライン２２の上に位置してもよい。すなわち、第２延伸部１４ｂが第１領域ライン２０の上にあり、第４延伸部１４ｄが第２領域ライン２２の上にあってもよい。
【０１５５】
また、上記実施の形態では、各アンテナエレメントを構成する金属線が、本体の幅方向（Ａ方向）又は長さ方向（Ｂ方向）のいずれかに沿って延在する場合について説明したが、このような場合に限らない。Ａ方向およびＢ方向とは交差する方向に延在するように、各アンテナエレメントを延在させてもよい。
【０１５６】
（実施の形態６）
次に、実施の形態６における貼付シート３００について、図１７―図１９Ｂを用いて説明する。
【０１５７】
実施の形態６の貼付シート３００は、実施の形態１−５のように薬などを収容する包装袋ではなく、図１９Ａ、１９Ｂに示すように、ダンボールなどの容器の開封確認を行うための貼付シートである点が、実施の形態１−５と異なる。
【０１５８】
図１７は、貼付シート３００の平面図であり、図１８は、貼付シート３００の側面図である。図１９Ａ、１９Ｂは、貼付シート３００の使用例を示す斜視図であり、図１９Ａは開封前の状態を示し、図１９Ｂは開封後の状態を示す。
【０１５９】
図１７、図１８に示すように、貼付シート３００は、シート状の本体３０２と、ＲＦＩＤタグ３０４とを備える。
【０１６０】
シート状の本体３０２は、後述する容器４００の開封箇所に貼付されるシート状の部材である。本体３０２はシート状であり、実施の形態１−５のように内容物を収容するための収容空間は設けられていない。
【０１６１】
図１８に示すように、本体３０２は、表面３０２ａと裏面３０２ｂとを有する。表面３０２ａは、ＲＦＩＤタグ３０４を保持する面である。実施の形態６では、表面３０２ａにＲＦＩＤタグ３０４が直接印刷されている。裏面３０２ｂは、容器４００に貼付される側の面である。実施の形態６における裏面３０２ｂは、粘着面を構成する。
【０１６２】
図１７に示すように、本体３０２において、対向する２辺３０２ｃ、３０２ｄは切口辺を構成する。
【０１６３】
ＲＦＩＤタグ３０４は、実施の形態１のＲＦＩＤタグ６と同様の構成であるため、説明を適宜省略する。ＲＦＩＤタグ３０４は、ＲＦＩＣ素子３０６と、アンテナパターン３０８とを備える。
【０１６４】
アンテナパターン３０８は、第１アンテナエレメント３１０と、第２アンテナエレメント３１２とを備える。
【０１６５】
第１アンテナエレメント３１０は、第１延伸部３１０ａと、第２延伸部３１０ｂと、第３延伸部３１０ｃと、第４延伸部３１０ｄと、第５延伸部３１０ｅと、第６延伸部３１０ｆと、第７延伸部３１０ｇとを備える。第２アンテナエレメント３１２は、第１延伸部３１２ａと、第２延伸部３１２ｂと、第３延伸部３１２ｃと、第４延伸部３１２ｄと、第５延伸部３１２ｅとを備える。それぞれの延伸部の延びる方向や接続関係については、実施の形態１と同様であるため、説明を省略する。
【０１６６】
本体３０２の内側には、本体３０２を切断するための仮想領域として切断領域Ｐ４が定められている。切断領域Ｐ４は、第１領域ライン３１４および第２領域ライン３１６の２つのラインによって区切られている。
【０１６７】
このような構成において、本体３０２を切口辺３０２ｃ又は切口辺３０２ｄから切断領域Ｐ４内で切断したときに、第１アンテナエレメント３１０と第２アンテナエレメント３１２の両方が切断されるように構成されている。これにより、実施の形態１と同様に、貼付シート３００の切断を精度良く確認することができ、貼付シート３００が貼付された容器４００の開封確認を精度良く実施することができる。
【０１６８】
図１９Ａ、１９Ｂに示す例では、容器４００の一例として、ダンボール４００ａを例示している。「容器」とは、物体を収容するものであって、開封箇所に開口を有するものであればよい。
【０１６９】
図１９Ａに示すように、ダンボール４００ａが開封されていない未開封の状態において、ダンボール４００ａの開封箇所（開封ライン）４０２には、上述した貼付シート３００が跨るように貼付されている。このとき、前述した切断領域Ｐ４が、開封箇所４０２を跨るように配置される。より具体的には、図１７に示した貼付シート３００の本体３０２の切口辺３０２ｃ、３０２ｄがともに、切断領域Ｐ４において開封箇所４０２を跨るように配置される。貼付シート３００によって、ダンボール４００ａの開封箇所４０２がシールされる。
【０１７０】
未開封の状態では、ダンボール４００ａに貼付された貼付シート３００は切断されていないため、リーダライタとＲＦＩＤタグが通信可能である。これにより、リーダライタを用いて、ダンボール４００ａの開封箇所４０２が開封されていないこと、すなわち、ダンボール４００ａが開封されていないことを確認することができる。
【０１７１】
一方で、図１９Ｂに示すように、ダンボール４００ａが開封された開封済みの状態では、ダンボール４００ａに貼付された貼付シート３００は切断領域Ｐ４に沿って切断されている。よって、リーダライタを近づけても、リーダライタとＲＦＩＤタグは通信できない。これにより、ダンボール４００ａの開封箇所４０２が既に開封されていること、すなわち、ダンボール４００ａが開封済みであることを確認することができる。
【０１７２】
このような構成によれば、図３Ａ、３Ｂに示した実施の形態１の開封管理システム２２０と同様の開封管理システムを適用することができる。すなわち、図４に示した通信ステップＳ１、Ｓ２と、判定ステップＳ３と、通知ステップＳ４とを実行することにより、複数の容器４００の開封を管理することができる。
【０１７３】
上述した貼付シート３００によれば、切断領域Ｐ４が容器４００の開封箇所４０２に跨るように貼付すれば開封確認を行えるため、貼付シート３００の貼付位置に厳密な精度は要求されず、自由度が高い。このため、貼付シート３００を容器４００に貼付する際の作業性を向上させることができる。また、貼付シート３００を容器４００に一旦貼付した後は、貼付シート３００の位置ずれが生じないため、容器４００の開封確認を精度良く行うことができる。
【０１７４】
なお、実施の形態６では、容器４００としてダンボール４００ａを用いる場合について説明したが、このような場合に限らない。ボトルや缶などのその他の収容容器、あるいは飛行機で運搬されるキャリーケースなど、開封箇所が存在する容器であれば、任意の容器に適用可能である。
【０１７５】
また実施の形態６では、本体３０２の表面３０２ａにＲＦＩＤタグ３０４が直接印刷される場合について説明したが、このような場合に限らず、印刷以外の方法で設けてもよい。また、表面３０２ａとＲＦＩＤタグ３０４の間に基材などを介してもよい。
【０１７６】
また実施の形態６では、本体３０２の裏面３０２ｂが粘着面を構成する場合について説明したが、このような場合に限らず、粘着面を構成せずに、両面テープなどを介して容器に貼付されるようにしてもよい。
【０１７７】
また、上述した実施の形態１−５および変形例に関して説明した特徴などを、実施の形態６の貼付シート３００に適宜適用してもよい。
【０１７８】
本開示は、添付図面を参照しながら好ましい実施の形態に関連して充分に記載されているが、この技術の熟練した人々にとっては種々の変形や修正は明白である。そのような変形や修正は、添付した特許請求の範囲による本開示の範囲から外れない限りにおいて、その中に含まれると理解されるべきである。また、各実施の形態における要素の組合せや順序の変化は、本開示の範囲及び思想を逸脱することなく実現し得るものである。
【０１７９】
なお、上記様々な実施の形態および変形例のうちの任意の実施の形態あるいは変形例を適宜組み合わせることにより、それぞれの有する効果を奏するようにすることができる。
【産業上の利用可能性】
【０１８０】
本発明は、ＲＦＩＤタグ付き包装袋および包装袋の開封管理システム、並びに、ＲＦＩＤタグ付き貼付シートおよび貼付シートを貼付した容器の開封管理システムであれば適用可能である。
【符号の説明】
【０１８１】
２  （ＲＦＩＤタグ付き）包装袋
３  薬（内容物）
４  本体
６  ＲＦＩＤタグ
８  ＲＦＩＣ素子
１０  アンテナパターン
１２  第１アンテナエレメント
１４  第２アンテナエレメント
１６  切口辺
２０  第１領域ライン
２２  第２領域ライン
２２２  リーダライタ
３００  （ＲＦＩＤタグ付き）貼付シート
３０２  本体
３０２ｃ、３０２ｄ  切口辺
３０４  ＲＦＩＤタグ
３０６  ＲＦＩＣ素子
３０８  アンテナパターン
３１０  第１アンテナエレメント
３１２  第２アンテナエレメント
３１４  第１領域ライン
３１６  第２領域ライン
４００  容器
４００ａ  ダンボール
４０２  開封箇所
Ｐ１  収容領域
Ｐ２  切断領域
Ｐ４  切断領域
【図１】
0006614364.tif 000002
【図２】
0006614364.tif 000003
【図３Ａ】
0006614364.tif 000004
【図３Ｂ】
0006614364.tif 000005
【図４】
0006614364.tif 000006
【図５Ａ】
0006614364.tif 000007
【図５Ｂ】
0006614364.tif 000008
【図６Ａ】
0006614364.tif 000009
【図６Ｂ】
0006614364.tif 000010
【図７】
0006614364.tif 000011
【図８】
0006614364.tif 000012
【図９】
0006614364.tif 000013
【図１０Ａ】
0006614364.tif 000014
【図１０Ｂ】
0006614364.tif 000015
【図１０Ｃ】
0006614364.tif 000016
【図１１Ａ】
0006614364.tif 000017
【図１１Ｂ】
0006614364.tif 000018
【図１１Ｃ】
0006614364.tif 000019
【図１２】
0006614364.tif 000020
【図１３】
0006614364.tif 000021
【図１４】
0006614364.tif 000022
【図１５】
0006614364.tif 000023
【図１６】
0006614364.tif 000024
【図１７】
0006614364.tif 000025
【図１８】
0006614364.tif 000026
【図１９Ａ】
0006614364.tif 000027
【図１９Ｂ】
0006614364.tif 000028